(57)【要約】【課題】電源プラグの差込が不完全な場合に電源を遮断することなく異常を報知して機器に支障がないようにするとともに、消費電力を低減した電源プラグを提供する。【解決手段】電源プラグ１のプラグ本体２の栓刃４，４間に差込検出ボタン６を栓刃４，４の差込方向に出没可能にした上で、スプリングバネ７の付勢によりプラグ本体２から突出するように設け、栓刃４，４をコンセント３に差込接続して差込検出ボタン６がプラグ本体２に没入した状態から、通電したままで差込が不完全になって差込検出ボタン６がプラグ本体２の表面から所定量突出した場合にスイッチ８がオンし、スイッチ８のオンによりＬＥＤ１５が点灯しブザーが鳴動して異常を報知する。【選択図】図２
2008305683.tif 000002
【特許請求の範囲】
【請求項１】
コンセントに差込接続するための１対の栓刃をプラグ本体に突設した電源プラグにおいて、前記プラグ本体の栓刃間に差込検出ボタンを前記栓刃の差込方向に出没可能にした上で、弾性体の付勢によりプラグ本体から突出した状態に設け、前記栓刃をコンセントに差込接続して通電した状態で前記差込検出ボタンが前記プラグ本体の表面から所定量突出した場合にスイッチがオンし、該スイッチのオンにより報知手段が異常を報知することを特徴とする電源プラグ。
【請求項２】
前記スイッチがオンしてから所定時間は報知手段から異常の報知をしないようにしたことを特徴とする請求項１に記載の電源プラグ。
【請求項３】
前記スイッチは、前記プラグ本体に出没する柱状部と、該柱状部の基端に設けられた張出部とで断面略Ｔ字状に形成された差込検出ボタンの張出部の前記柱状部側の面に設けられた２つの互いに導通したボタン側接点と、該ボタン側接点と対向させて前記差込検出ボタンが前記プラグ本体に没入した際に前記ボタン側接点と開離し、前記差込検出ボタンが前記プラグ本体から突出した際に前記ボタン側接点と接触する本体側接点とで成ることを特徴とする請求項１または請求項２に記載の電源プラグ。
【発明の詳細な説明】
【技術分野】
【０００１】
本発明は、コンセントに差込接続するための栓刃を有する電源プラグに関する。
【背景技術】
【０００２】
電気機器の電源コードの先端に設けられたり、電源を分配するためのコンセントタップなどに設けられ、コンセントに接続するための栓刃を有する電源プラグは、壁コンセントに差込接続した際に、電源コードが引っ張られたり、自重などにより差込が不完全になる場合があり、電源プラグの差込が不完全な状態で栓刃間に塵埃が溜まると、トラッキング現象が起こって発火する虞がある。そこで電源プラグの差込不足を防止するものとしては、例えば特許文献１（特開平１０−２７５６７３号公報）に記載のものがある。この電源プラグはコンセント接続面に作動ボタンを設け、電源プラグの差込が不完全な場合に作動ボタンの動作によりスイッチがオフして機器への通電を遮断するようになっている。
【０００３】
【特許文献１】特開平１０−２７５６７３号公報
【発明の開示】
【発明が解決しようとする課題】
【０００４】
しかしながら、従来の電源プラグは差込が不完全な場合に通電を遮断するのでパソコンや冷蔵庫など機器によっては電源を遮断されてしまうと支障を引き起こすものがあり、また、差込不足を検知するためのスイッチが監視状態で常時オンしており、差込が不完全になるとスイッチがオフして検知するようになっているので、消費電力が大きいという欠点があった。
【課題を解決するための手段】
【０００５】
本発明は、請求項１に記載の発明によれば、コンセントに差込接続するための１対の栓刃をプラグ本体に突設した電源プラグにおいて、プラグ本体の栓刃間に差込検出ボタンを栓刃の差込方向に出没可能にした上で、弾性体の付勢によりプラグ本体から突出した状態に設け、栓刃をコンセントに差込接続して通電した状態で差込検出ボタンがプラグ本体の表面から所定量突出した場合にスイッチがオンし、スイッチのオンにより報知手段が異常を報知することを特徴とする。
【０００６】
請求項２に記載の発明によれば、請求項１に記載の電源プラグにおいて、スイッチがオンしてから所定時間は報知手段から異常の報知をしないようにしたことを特徴とする。
【０００７】
請求項３に記載の発明によれば、請求項１または請求項２に記載の電源プラグにおいて、スイッチは、プラグ本体に出没する柱状部と、柱状部の基端に設けられた張出部とで断面略Ｔ字状に形成された差込検出ボタンの張出部の柱状部側の面に設けられた２つの互いに導通したボタン側接点と、ボタン側接点と対向させて差込検出ボタンがプラグ本体に没入した際にボタン側接点と開離し、差込検出ボタンがプラグ本体から突出した際にボタン側接点と接触する本体側接点とで成ることを特徴とする。
【発明の効果】
【０００８】
請求項１に記載の発明によれば、電源プラグの差込が不完全な場合に電源を遮断せずに異常を報知するので機器に支障がなく、また、差込が完全なときはスイッチがオフし、差込が不完全なときにスイッチがオンして異常を報知するので消費電力を低減することができるという効果がある。
【０００９】
請求項２に記載の発明によれば、電源プラグの差込時と引抜時に異常手段による異常の報知をしないので快適に電源プラグの抜き差しができるという効果がある。
【００１０】
請求項３に記載の発明によれば、簡単な構造でスイッチを構成できるのでコストを低減することができるという効果がある。
【発明を実施するための最良の形態】
【００１１】
電源プラグのプラグ本体の栓刃間に差込検出ボタンを栓刃の差込方向に出没可能にした上で、弾性体の付勢によりプラグ本体から突出するように設け、栓刃をコンセントに差込接続して差込検出ボタンがプラグ本体に没入した状態から、通電したままで差込が不完全になって差込検出ボタンがプラグ本体の表面から所定量突出した場合にスイッチがオンし、スイッチのオンにより報知手段が異常を報知する。
【実施例１】
【００１２】
本発明に係る電源プラグの実施例１を図１〜図５の添付図面に基づいて説明する。
【００１３】
図１に示すように、電源プラグ１は樹脂製のプラグ本体２のコンセント接続面２ａにコンセント３に差込接続するための１対の栓刃４，４が突設されている。プラグ本体２の栓刃４，４間には孔５が形成され、この孔５には差込検出ボタン６が先端を栓刃４，４の差込方向に出没可能にした上で、図２に示すように弾性体としてのスプリングバネ７の付勢によりプラグ本体２から突出した状態に設けられている。
【００１４】
図３に示すように差込検出ボタン６は孔５から出没する柱状部６ａと、柱状部６ａの基端に設けられた張出部６ｂとで断面略Ｔ字状に形成され、張出部６ｂには２つのボタン側接点８ａ，８ａが設けられ、ボタン側接点８ａ，８ａ間は電気的に接続されて導通するようになっている。また、差込検出ボタン６がプラグ本体２に没入した際にボタン側接点８ａ，８ａと開離し、差込検出ボタン６がプラグ本体３から突出した際にボタン側接点８ａ，８ａと接触する本体側接点８ｂ，８ｂがボタン側接点８ａ，８ａと対向させて設けられ、ボタン側接点８ａ，８ａと本体側接点８ｂ，８ｂとでスイッチ８を構成している。
【００１５】
図４に示すように、電源プラグ１は栓刃４，４と電気的に接続した電路９，９に接続されて各回路に電源を供給するための電源回路１０と、電源プラグ１の差込状態に連動して回路をオンオフするスイッチ８と、電源から流入するノイズを防止するためのノイズ防止回路１１と、報知手段としてのＬＥＤ点灯回路１２及びブザー駆動回路１３とで構成している。
【００１６】
このように構成された電源プラグ１は、コンセント３に栓刃４，４を差し込むとプラグ本体２から突出した差込検出ボタン６の先端がコンセント３の表面に当接し、更に栓刃４，４を差し込んでいくとスプリングバネ７の付勢力に抗してプラグ本体２内に没入するようになっている。このとき、差込検出ボタン６のボタン側接点８ａ，８ａがプラグ本体２の本体側接点８ｂ，８ｂから開離し、スイッチ８がオフして異常監視状態となる。
【００１７】
電源プラグ１がコンセント３に差し込まれた状態で、電源コード１４が引っ張られたり、電源プラグ１の自重により電源プラグ１がコンセント３から少し抜けて接続が不完全な状態になると、コンセント３とプラグ本体２の間隔に応じて差込検出ボタン６がスプリングバネ７の付勢力によりプラグ本体２から突出する。そして、差込検出ボタン６がプラグ本体２から突出するとボタン側接点８ａ，８ａが本体側接点８ｂ，８ｂに近づき、更にコンセント３とプラグ本体２の間隔が大きくなってプラグ本体２の表面から差込検出ボタン６が所定量突出すると、図５に示すようにボタン側接点８ａ，８ａが本体側接点８ｂ，８ｂに接触してスイッチ８がオンする。このとき、栓刃４，４はコンセント３に電気的に接続されているのでスイッチ８のオンにより電源回路１０から各回路に電源が供給されてＬＥＤ点灯回路１２及びブザー駆動回路１３が駆動し、これらの回路の駆動によりＬＥＤ１５が点灯し、ブザー１６が鳴動することで電源プラグ１の不完全な接続による異常を報知するようになっている。
【００１８】
ＬＥＤ１５の点灯とブザー１６の鳴動を停止するにはコンセント３に電源プラグ１を完全に差し込むことにより再びスイッチ８をオフさせて停止することができる。また、コンセント３から電源プラグ１を引き抜くことでも回路に電源が供給されなくなるので停止させることができる。
【００１９】
尚、差込検出ボタン６及びスイッチ８については上記形状及び構造に限定するものではなく、例えば、図６に示すように差込検出ボタン６の張出部６ｂに対向させてプラグ本体２のコンセント接続面の内側にａ接点スイッチ１７を配置しても良いし、図７に示すように差込検出ボタン６の張出部をなくし、柱状部６ａの基端に対向させてｂ接点スイッチ１８を配置しても良い。
【実施例２】
【００２０】
本発明に係る電源プラグの実施例２を図８の添付図面に基づいて説明する。尚、実施例１と同一部分は同一符号を付して説明を省略する。
【００２１】
本実施例では図８に示すようにノイズ防止回路に替わって直列接続したコンデンサと抵抗による時延回路１９を備えている点が実施例１と異なっている。
【００２２】
時延回路１９を備えたことにより、スイッチ８がオンした際にすぐに異常の報知を行うのではなく、スイッチ８がオンして所定時間経過した後で異常の報知を行うようになる。このため、電源プラグ１をコンセント３に差し込む途中や電源プラグ１をコンセント３から引き抜く途中、電源プラグ１の栓刃４，４がコンセント３に接続された状態で電源プラグ１の表面から差込検出ボタン６が所定量突出することで一時的な異常の報知をなくすることができる。
【００２３】
なお、時延回路１９はコンデンサと抵抗とで構成されるのでノイズをカットしてノイズ防止回路の役割も果たすようになっている。
【図面の簡単な説明】
【００２４】
【図１】本発明の実施例１に係る電源プラグを示す斜視図である。
【図２】本発明の実施例１に係る電源プラグを示し、電源プラグをコンセントに完全に接続した状態の説明図である。
【図３】本発明の実施例１に係る電源プラグの差込検出ボタンのスイッチを示す斜視図である。
【図４】本発明の実施例１に係る電源プラグを示す回路図である。
【図５】本発明の実施例１に係る電源プラグを示し、電源プラグがコンセントに不完全な接続となった状態の説明図である。
【図６】本発明に係る電源プラグの変形実施例を示す説明図である。
【図７】本発明に係る電源プラグの変形実施例を示す説明図である。
【図８】本発明の実施例２に係る電源プラグを示す回路図である。
【符号の説明】
【００２５】
１    電源プラグ
２    プラグ本体
３    コンセント
４    栓刃
５    孔
６    差込検出ボタン
６ａ    柱状部
６ｂ    張出部
７    スプリングバネ
８    スイッチ
８ａ    ボタン側接点
８ｂ    本体側接点
９    電路
１０    電源回路
１１    ノイズ防止回路
１２    ＬＥＤ点灯回路
１３    ブザー駆動回路
１４    電源コード
１５    ＬＥＤ
１６    ブザー
【図１】
2008305683.tif 000003
【図２】
2008305683.tif 000004
【図３】
2008305683.tif 000005
【図４】
2008305683.tif 000006
【図５】
2008305683.tif 000007
【図６】
2008305683.tif 000008
【図７】
2008305683.tif 000009
【図８】
2008305683.tif 000010